(57)【要約】  【課題】  貯水部の残水量を少なくすることができ、また、ポンプが貯水部から空気を吸込み難くすることができ、さらに、食器洗い機の全体高さを低くでき、食器洗い機の全体を小形化できるようにする。  【解決手段】  その底部に貯水部２１を有する洗浄槽２と、該洗浄槽２内に水を噴射するノズル４と、前記貯水部２１の水を前記ノズル４に供給するポンプ５とを備えており、該ポンプ５の吸込口５４を貯水部２１の底面２１ａと対向させ、吸込口５４と貯水部２１の底面２１ａとの間の距離を短縮し、貯水部２１の一側に配置されるポンプ５を貯水部２１の底面２１ａに対して上側に配置することができるようにした。【選択図】      図３
2006263109.tif 000002
【特許請求の範囲】
【請求項１】
その底部に貯水部を有する洗浄槽と、該洗浄槽内に水を噴射するノズルと、前記貯水部の水を前記ノズルに供給するポンプとを備えた食器洗い機において、前記ポンプの吸込口は前記貯水部の底面と対向していることを特徴とする食器洗い機。
【請求項２】
前記ポンプは、横軸羽根車と、前記吸込口に吸込まれた水の流れ方向が上下である先側吸込路及び該先側吸込路から湾曲して水の流れ方向が前記横軸羽根車の回転中心方向である元側吸込路とを有する請求項１記載の食器洗い機。
【請求項３】
前記ポンプは、前記吸込口及び前記先側吸込路を有する吸込管と、前記貯水部に配置され、前記吸込管と一体に設けられたフィルタとを備える請求項２記載の食器洗い機。
【請求項４】
前記ポンプは、前記吸込口の外周りに鍔部を有する請求項１乃至３のいずれかひとつに記載の食器洗い機。
【請求項５】
前記貯水部は上側より底面側が小容積である請求項１乃至４のいずれかひとつに記載の食器洗い機。
【請求項６】
前記貯水部の一定の水位を検出するセンサと、前記ポンプを駆動する電動モータと、前記センサが検出した水位に基づいて前記電動モータを減速制御する制御部とを備える請求項１乃至５のいずれかひとつに記載の食器洗い機。
【発明の詳細な説明】
【技術分野】
【０００１】
本発明は内部に水が噴射される洗浄槽内で食器を洗浄する食器洗い機に関する。
【背景技術】
【０００２】
食器洗い機は、その底部に貯水部を有し、食器が収容される洗浄槽と、該洗浄槽内に水を噴射するノズルと、横軸羽根車を有し、前記貯水部の水を前記ノズルに供給するポンプとを備え、前記ノズルから噴射する水により、洗浄槽内に収容された食器を洗浄するように構成されている（例えば、特許文献１参照。）。また、この食器洗い機のポンプの吸込口は、前記横軸羽根車の回転中心方向に開放されており、前記貯水部の側面と対向している。
【０００３】
ところで、食器洗い機は、洗浄槽内に適宜水量の水が給水され、この水が貯水部に貯水され、この貯水部の水がポンプ及びノズルを経て洗浄槽内に噴射され、再び貯水部に貯水される洗い過程、すすぎ過程が１〜複数回行われ、また、一回の洗い過程、すすぎ過程が終わった後、洗浄槽内の水が貯水部から前記ポンプにより外部に排水され、新たな水が洗浄槽内に給水され、洗い過程又はすすぎ過程の洗浄が再び行われるように構成されている。従って、洗浄槽内の水が外部に排水された後、貯水部に残水量があるとき、この残水した汚水が新たに給水された水と混合されることになり、この混合水により洗浄されることになり、洗浄性能が低下することになるため、貯水部に残る残水量を少なくするのが好ましい。
【特許文献１】特許第３４６５６９４号公報
【発明の開示】
【発明が解決しようとする課題】
【０００４】
特許文献１のように横軸羽根車の回転中心方向に吸込口が設けられた食器洗い機にあっては、吸込口の周方向の一部が貯水部の底面と等しい位置にあるため、貯水部の残水量を少なくすることができる。しかしながら、前記吸込口は貯水部の底面と直交するように設けられており、吸込口の周方向の他の一部は貯水部の底面と上側へ離隔した位置にあるため、貯水部の残水量が少なくなるより先に吸込口から貯水部の空気が吸込まれることになり、ポンプにキャビテーションが発生するという問題がある。このキャビテーションの発生を防ぐには、前記吸込口の全周囲が貯水部の底面より下側となるようにポンプを配置すればよい。しかし、このように構成した場合、横軸羽根車の回転中心が貯水部の底面より下側となり、ポンプ全体が貯水部に対して下側に配置されることになるため、食器洗い機の全体が大型になるという問題がある。
【０００５】
本発明は斯かる事情に鑑みてなされたものであり、主たる目的はポンプの吸込口を貯水部の底面と対向させることにより、貯水部の残水量を少なくすることができ、吸込口から空気を吸込み難くすることができ、さらに、食器洗い機の全体高さを低くすることができる食器洗い機を提供することにある。
【０００６】
また、他の目的は吸込口に吸込まれた水の流れ方向が上下である先側吸込路及び横軸羽根車の回転中心方向である元側吸込路を設けることにより、既存のポンプに先側吸込路を付加することにより簡易に構成することができる食器洗い機を提供することにある。
【０００７】
また、他の目的は貯水部に配置され、吸込口及び先側吸込路を有する吸込管と一体に設けられたフィルタをポンプが備える構成とすることにより、部品点数を多くすることなく貯水部の波立ちを軽減することができる食器洗い機を提供することにある。
【０００８】
また、他の目的は吸込口の外周りに鍔部を設けることにより、吸込口から空気をより一層吸込み難くすることができる食器洗い機を提供することにある。
【０００９】
また、他の目的は貯水部の底面側の容積を上側の容積より小にすることにより、貯水部の残水量をより一層少なくすることができる食器洗い機を提供することにある。
【００１０】
また、他の目的は貯水部の一定の水位を検出するセンサと、横軸羽根車に連動連結される電動モータと、センサが検出した水位に基づいて電動モータを減速制御する制御部とを設けることにより、ポンプが貯水部の水を洗浄槽の外部に排水するとき、貯水部の波立ちを少なくし、気泡が吸込口に吸込まれるのをより一層低減することができる食器洗い機を提供することにある。
【課題を解決するための手段】
【００１１】
本発明に係る食器洗い機は、その底部に貯水部を有する洗浄槽と、該洗浄槽内に水を噴射するノズルと、前記貯水部の水を前記ノズルに供給するポンプとを備えた食器洗い機において、前記ポンプの吸込口は前記貯水部の底面と対向していることを特徴とする。
【００１２】
この発明にあっては、ポンプの吸込口が貯水部の底面と対向しているため、吸込口と貯水部の底面との間の距離を短縮することができ、貯水部の水がポンプにより排水された場合の貯水部の残水量を少なくすることができる。従って、新たな水を洗浄槽内に給水して洗浄する場合、貯水部に残水した汚水が混合される量を低減でき、洗浄性能を向上することができる。しかも、吸込口は全周囲が貯水部の底面と対向するため、吸込口から空気を吸込み難くすることができ、ポンプのキャビテーションの発生を低減できる。さらに、貯水部の底面と横軸羽根車との間の距離を比較的長くすることができ、貯水部に対してポンプを上側に配置することができ、食器洗い機の全体高さを低くでき、食器洗い機の全体を小形化できる。
【００１３】
また、本発明に係る食器洗い機は、前記ポンプは、横軸羽根車と、前記吸込口に吸込まれた水の流れ方向が上下である先側吸込路及び該先側吸込路から湾曲して水の流れ方向が前記横軸羽根車の回転中心方向である元側吸込路とを有することを特徴とする。
【００１４】
この発明にあっては、吸込口に吸込まれた水の流れ方向が横軸羽根車の回転中心方向となる吸込路を有する既存のポンプの吸込路に先側吸込路を連通させることにより吸込口を貯水部の底面と対向させることができるため、既存のポンプを用いて簡易に構成することができる。
【００１５】
また、本発明に係る食器洗い機は、前記ポンプは、前記吸込口及び前記先側吸込路を有する吸込管と、前記貯水部に配置され、前記吸込管と一体に設けられたフィルタとを備えることを特徴とする。
【００１６】
この発明にあっては、フィルタが吸込管と一体に設けられているため、ポンプが組み込まれることによりフィルタを貯水部に配置することができ、しかも、このフィルタにより、貯水部の波立ちを軽減することができるため、この波立ちにより発生する気泡が吸込口に吸込まれるのを部品点数を多くすることなく低減することができる。
【００１７】
また、本発明に係る食器洗い機は、前記ポンプは、前記吸込口の外周りに鍔部を有することを特徴とする。
【００１８】
この発明にあっては、吸込口の外周りに設けられた鍔部の内側面に貯水部の水が密接し、吸込口部の水との密接面積を増加することができるため、吸込口から空気をより一層吸込み難くすることができる。
【００１９】
また、本発明に係る食器洗い機は、前記貯水部は上側より底面側が小容積であることを特徴とする。
【００２０】
この発明にあっては、貯水部の底面側が小容積が小であるため、貯水部の残水量をより一層少なくすることができ、洗浄性能を向上することができる。
【００２１】
また、本発明に係る食器洗い機は、前記貯水部の一定の水位を検出するセンサと、前記ポンプを駆動する電動モータと、前記センサが検出した水位に基づいて前記電動モータを減速制御する制御部とを備えることを特徴とする。
【００２２】
この発明にあっては、ポンプが貯水部の水を洗浄槽の外部に排水する場合、貯水部が一定水位になったとき、この一定水位をセンサが検出することになり、このセンサが検出した水位に基づいて制御部から電動モータの駆動回路に指令信号が出力され、電動モータが減速制御されるため、貯水部の水を少量づつ吸込むことができ、貯水部の波立ちを軽減でき、この波立ちにより発生する気泡が吸込口に吸込まれるのをより一層低減できる。
【発明の効果】
【００２３】
本発明によれば、吸込口が貯水部の底面と対向しているため、貯水部の残水量を少なくすることができ、洗浄性能を向上することができるのであり、しかも、吸込口から空気を吸込み難くすることができ、さらに、貯水部に対してポンプを上側に配置することができ、食器洗い機の全体高さを低くでき、食器洗い機の全体を小形化できる。
【００２４】
また、本発明によれば、既存のポンプの吸込路に先側吸込路を連通させることにより吸込口を貯水部の底面と対向させることができるため、既存のポンプを用いて簡易に構成することができる。
【００２５】
また、本発明によれば、ポンプが組み込まれることによりフィルタを貯水部に配置することができ、しかも、このフィルタにより、貯水部の波立ちを軽減することができるため、この波立ちにより発生する気泡が吸込口に吸込まれるのを部品点数を多くすることなく低減することができる。
【００２６】
また、本発明によれば、吸込口の外周りに設けられた鍔部の内側面に貯水部の水が密接し、吸込口部の水との密接面積を増加することができるため、吸込口から空気をより一層吸込み難くすることができる。
【００２７】
また、本発明によれば、貯水部の底面側の小容積であるため、貯水部の残水量をより一層少なくすることができ、洗浄性能を向上することができる。
【００２８】
また、本発明によれば、貯水部が一定水位になったとき、この一定水位をセンサが検出し、このセンサが検出した水位に基づいて電動モータが減速制御されるため、貯水部の波立ちを軽減でき、この波立ちにより発生する気泡が吸込口に吸込まれるのをより一層低減できる。
【発明を実施するための最良の形態】
【００２９】
以下本発明をその実施の形態を示す図面に基づいて詳述する。
実施の形態１
図１は本発明に係る食器洗い機の実施の形態１の構成を示す縦断側面図、図２は食器洗い機の実施の形態１の構成を示す概略平面図、図３は要部の拡大断面図、図４は食器洗い機の実施の形態１の構成を示すブロック図である。
【００３０】
食器洗い機は、筐体１と、該筐体１内に配され、その底部に凹状の貯水部２１を有する洗浄槽２と、貯水部２１の一定の水位を検出するセンサ３と、洗浄槽２内の底部に回転自在に収容支持されたノズル４と、該ノズル４に水を供給し、且つ洗浄後の水を洗浄槽２の外部に排水するポンプ５と、該ポンプ５を駆動する電動モータ６と、該電動モータ６の駆動回路６ａをオン、オフ制御し、且つセンサ３が検出した水位に基づいて電動モータ６を減速制御する制御部７と、洗浄槽２内を乾燥させるヒータ８と、洗浄槽２の前面に設けられた開口部を閉じ、上方へ回動が自在に筐体１に枢支された扉体９とを備える。
【００３１】
洗浄槽２の底部には、蛇口等の水源に接続される給水弁２２と、該給水弁２２に給水通路を介して連通し、洗浄槽２内に開口する給水口２３と、該給水口２３と対角する位置に配され、給水口２３から給水された水を貯水する貯水部２１と、該貯水部２１の外部に付設されたセンサ３と、貯水部２１内にポンプ５を介して連通する排水路２４と、貯水部２１に配置され、残滓物を濾過する取外し可能な残滓フィルタ１０とが設けられている。
【００３２】
貯水部２１は貯水部２１を除く洗浄槽２の底部より下側にあり、洗浄槽２内の水が自然に貯水されるようになっている。また、貯水部２１は矩形の底面２１ａと、該底面２１ａの周縁に連なる四つの側面とを有しており、一つの側面２１ｂの上下方向中間に、横方向へ貫通する貫通孔を有する連結筒２１ｃが設けられており、前記側面２１ｂと対向する他の側面２１ｄは内側の底面２１ａから上下方向中間にかけて上側より底面２１ａ側が小容積となるように底面２１ａに対して傾斜しており、また、底面２１ａの中央部に上下に貫通する水抜孔２１ｅが設けられており、該水抜孔２１ｅに水抜栓１１が取外し可能に嵌合されている。
【００３３】
また、貯水部２１の側方で、且つ筐体１の底部１ａ間に空所１２が設けられており、該空所１２にポンプ５及び該ポンプ５を駆動する電動モータ６が配置されている。
【００３４】
ポンプ５は、正逆回転が自在の横軸羽根車５１と、該横軸羽根車５１を横軸５２により回転自在に支持した椀形のポンプケース５３と、貯水部２１の底面２１ａに対向する吸込口５４を有し、横軸羽根車５１の回転中心部に連通する吸込管５５と、横軸羽根車５１の回転により発生した加圧水を吐出する吐出路（図示せず）と、貯水部２１に配置され、吸込管５５と一体に設けられたフィルタ５６とを備える。ポンプケース５３の下部には上下に貫通する水抜孔５７が設けられており、該水抜孔５７に水抜栓５８が取外し可能に嵌合されている。
【００３５】
吸込管５５は、下端の吸込口５４に吸込まれた水の流れ方向が上下である先側吸込路５５ａ及び該先側吸込路５５ａから湾曲する湾曲部を有するエルボを用いてなり、該エルボの上端部が連結筒２１ｃにシール環５５ｂを介して内嵌されている。また、ポンプケース５３の一側の開放部には連結筒５５ｃが突設されており、該連結筒５５ｃ及び連結筒２１ｃが可撓性を有する連結ホース５５ｄにより連結され、連結筒５５ｃ及び連結筒２１ｃ内を、水の流れ方向が横軸羽根車５１の回転中心方向である元側吸込路５５ｅになっている。
【００３６】
フィルタ５６は、上下に貫通する複数の流水口を有する扁平の網形をなしており、吸込口５４より僅かに上側にほぼ水平に配置されている。また、吸込管５５及びフィルタ５６は合成樹脂材料により一体に成形されている。
【００３７】
前記吐出路は、切換弁を介してノズル４及び排水路２４に連通しており、横軸羽根車５１が正回転するとき、貯水部２１の水をノズル４に供給し、横軸羽根車５１が逆回転するとき、貯水部２１の水を排水路２４に供給するように構成されている。
【００３８】
制御部７はマイクロプロセッサを用いてなり、該制御部７の入力部にセンサ３が接続されており、制御部７の出力部に電動モータ６の駆動回路６ａが接続されており、制御部７が出力するモータ電流指令値により駆動回路６ａをオン、オフ制御し、また、洗浄後に貯水部２１の水を排水路２４に排水する場合において、貯水部２１が一定水位となり、この一定水位がセンサ３により検出されたとき、電動モータ６を前記水位が一定水位を超えるときより減速に制御するように構成されている。
【００３９】
以上のように構成された食器洗い機は、蛇口等の水源から給水弁２２、給水通路及び給水口２３を経て洗浄槽２内に給水された水が貯水部２１に貯水される。また、制御部７が出力するモータ電流指令値により電動モータ６の駆動回路６ａがオンとなり、電動モータ６によりポンプ５の横軸羽根車５１が正回転し、貯水部２１内の水が吸込口５４から先側吸込路５５ａ及び元側吸込路５５ｅを経てポンプケース５３内に吸込まれて吐出路からノズル４に供給され、洗浄槽２内の食器受具に載せられた食器に向けてノズル４から水が噴射され、食器を洗浄することができる。食器洗浄後の水は洗浄槽２内の底部に落下し、貯水部２１に貯水され、上記のように循環して洗い過程、すすぎ過程の洗浄が１〜複数回行われる。
【００４０】
この場合、ポンプ５の吸込口５４は貯水部２１の底面２１ａと対向しており、吸込口５４と貯水部２１の底面２１ａとの間の距離Ｈ１を比較的短くすることができ、さらに、貯水部２１の側面２１ｄは底面２１ａに対して傾斜し、底面２１ａ側の容積が上側より小になっているため、貯水部２１の水がポンプ５により排水された場合の貯水部２１の残水量を非常に少なくすることができる。従って、新たな水を洗浄槽２内に給水して洗浄する場合、貯水部２１に残水した汚水が新たな水に混合される量を低減でき、洗浄性能を向上することができる。また、吸込口５４は全周囲が貯水部２１の底面２１ａと対向するため、吸込口５４から空気を吸込み難くすることができる。さらに、貯水部２１の底面２１ａと横軸羽根車５１との間の距離Ｈ２を比較的長くすることができるため、貯水部２１の側方の空所１２に配置するポンプ５を貯水部２１の底面２１ａに対して比較的上側に配置することができ、筐体１の高さ、ひいては食器洗い機の全体高さを低くでき、食器洗い機の全体を小形化できる。また、貯水部２１に貯水される水は残滓フィルタ１０及びフィルタ５６を通過するため、食器から離脱した残滓を残滓フィルタ１０により濾過することができ、またフィルタ５６により貯水部２１内の波立ちを軽減することができ、この波立ちにより発生する気泡が吸込口５４に吸込まれるのを低減することができ、ポンプ５のキャビテーションの発生を低減できる。
【００４１】
また、洗い過程が終わったとき、及びすすぎ過程が終わったとき、制御部７が出力するモータ電流指令値により電動モータ６が逆駆動され、ポンプ５の横軸羽根車５１が逆回転し、貯水部２１の水が吸込口５４から吸込路５５を経てポンプケース５３内に吸込まれて吐出路から排水路２４に供給され、洗浄槽２の外部に排水される。この場合、貯水部２１が一定水位になったとき、この一定水位がセンサ３により検出され、このセンサ３の検出水位に基づいて制御部７から駆動回路６ａにモータ電流指令値が出力され、電動モータ６が減速に制御される。この結果、ポンプ５が減速回転となり、貯水部２１内の水を少量づつ吸込むことができるため、貯水部２１の波立ちを軽減することができ、この波立ちにより発生する気泡が吸込口５４に吸込まれるのをより一層低減できる。
【００４２】
実施の形態２
図５は本発明に係る食器洗い機の実施の形態２に構成を示す要部の拡大断面図である。この食器洗い機はポンプ５の吸込口５４の外周りに、貯水部２１の底面２１ａとほぼ平行になる鍔部５９を吸込管５５と一体に設けたものである。
【００４３】
実施の形態２にあっては、吸込口５４の外周りに設けられた鍔部５９の内側面に貯水部２１の水が密接し、吸込口５４部の水との密接面積を増加することができるため、吸込口５４から空気をより一層吸込み難くすることができる。
その他の構成及び作用は実施の形態１と同様であるため、同様の部品については同じ符号を付し、その詳細な説明及び作用効果の説明を省略する。
【図面の簡単な説明】
【００４４】
【図１】本発明に係る食器洗い機の実施の形態１の構成を示す縦断側面図である。
【図２】本発明に係る食器洗い機の実施の形態１の構成を示す概略平面図である。
【図３】本発明に係る食器洗い機の実施の形態１の要部の拡大断面図である。
【図４】本発明に係る食器洗い機の実施の形態１の構成を示すブロック図である。
【図５】本発明に係る食器洗い機の実施の形態２の要部の拡大断面図である。
【符号の説明】
【００４５】
２    洗浄槽
２１  貯水部
２１ａ  底面
３    センサ
５    ポンプ
５１  横軸羽根車
５４  吸込口
５５ａ  先側吸込路
５５ｅ  元側吸込路
５６  フィルタ
５９  鍔部
６    電動モータ
７    制御部
【図１】
2006263109.tif 000003
【図２】
2006263109.tif 000004
【図３】
2006263109.tif 000005
【図４】
2006263109.tif 000006
【図５】
2006263109.tif 000007